(57)【要約】      （修正有）【課題】任意の安定器に運用でき、且つ高い互換性を備えたＬＥＤ駆動回路装置を提供する。【解決手段】ＬＥＤ駆動回路装置は、ＬＥＤ２が照明装置内１に設置され、且つ前記照明装置の両端に、安定器３から出力される高周波交流電流（ＡＣ）を接受し、駆動回路モジュール４と電気的に接続された端子ピン１０が２本ずつ設置され、そのうち、駆動回路モジュールは主に共振ネットワーク修正回路及び整流回路から構成される。そのうち、共振ネットワーク修正回路を運用して２本の端子ピン１０が接受した高周波交流（ＡＣ）電流に対し調整を行い、ＬＥＤ電流の運用範囲に合わせた後、整流回路で交流（ＡＣ）を直流（ＤＣ）に変換し、さらに別の２本の端子ピンから出力することができ、上述の回路を運用してＬＥＤ照明装置を一般の電子式安定器に運用可能にし、高い互換性を保つ。【選択図】図３
0003161333.tif 000002
【実用新案登録請求の範囲】
【請求項１】
ＬＥＤ駆動回路装置であって、前記ＬＥＤが照明装置内に設置され、且つ前記照明装置の両端に、安定器から出力される高周波交流（ＡＣ）電流を接受し、駆動回路モジュールと電気的に接続された端子ピンが２本ずつ設置され、そのうち、前記駆動回路モジュールが、
前記端子ピンと電気的に接続され、且つ接受した前記交流（ＡＣ）電流を前記ＬＥＤの電流運用範囲に合わせて調整する共振ネットワーク修正回路と、
前記共振ネットワーク修正回路と電気的に接続され、且つ前記交流（ＡＣ）電流を直流（ＤＣ）電流に変換し、別の前記端子ピンから出力する少なくとも１つの整流回路と、
を含むことを特徴とする、ＬＥＤ駆動回路装置。
【請求項２】
前記整流回路が電圧を出力することを特徴とする、請求項１に記載のＬＥＤ駆動回路装置。
【請求項３】
前記整流回路がブリッジ整流回路であることを特徴とする、請求項１に記載のＬＥＤ駆動回路装置。
【請求項４】
前記整流回路が交流−直流変換回路であることを特徴とする、請求項１に記載のＬＥＤ駆動回路装置。
【請求項５】
前記安定器が電子式であることを特徴とする、請求項１に記載のＬＥＤ駆動回路装置。
【考案の詳細な説明】
【技術分野】
【０００１】
本考案はＬＥＤ照明装置に関し、特に、任意の安定器に運用でき、且つ高い互換性を備えた、ＬＥＤ駆動回路装置に関する。
【背景技術】
【０００２】
エネルギーの節約はすでに各国が長年提唱に力を入れてきた目標となっており、エネルギー節約で環境を保護し、資源の無駄を回避する等の目的を達することができ、電気エネルギーはあらゆるエネルギーのうち消費量が最大のエネルギーの一つであり、民生用品、照明設備、家電等、すべて電気エネルギーで駆動して使用されている。特に、照明の面において、従業員が効率よく仕事ができるように企業は昼夜を問わず照明設備をオンにしておく必要がある。一般の企業が使用する照明設備は安定器を利用して蛍光灯を始動させる方式で照明を行っており、旧来の水銀灯の管理から従来の安定器を用いて始動させ、照明効果を達しているが、このような始動方法と組み合わされた蛍光灯は、作動時に光波の点滅を発生し、従来の安定器の点灯周波数は６０Ｈｚで、一秒間に１２０回点滅するため、肉眼で非常に容易にちらつきを感じる。このほか、従来の安定器は比較的多くの電気エネルギーが必要なため電力の消費量が多い。これに鑑みて、電子式安定器が登場し、この安定器は従来の安定器に比べて２０％以上節電でき、電子安定器は高周波で点灯するため、出力光波が非常に安定しており、ほとんどちらつきがないだけでなく、電源の電圧変動または蛍光灯の箇所が低温の際もちらつきが生じにくく、視力の保護に非常に有益であると共に、蛍光灯の使用寿命を延長することもできる。
【０００３】
しかしながら、上述の電子式安定器は一般の蛍光灯を組み合わせて使用できるのみであり、より環境保護に配慮した省エネのＬＥＤ蛍光灯には使用できない。
【０００４】
このため、上述の従来品のいかに上述の従来品の問題と欠点を解決するかが、本考案の考案者と関連産業の企業が改善を研究する方向性である。
【考案の概要】
【考案が解決しようとする課題】
【０００５】
本考案の考案者は上述の欠点に鑑みて、関連資料を収集し、多方面の評価と検討を経て、かつ関連産業に従事した長年の経験に基づき試作と修正を重ね、ついにこのＬＥＤ照明装置の開発に至ったものであり、任意の安定器に運用でき、且つ高い互換性を備えたＬＥＤ駆動回路装置を提供する。
【０００６】
本考案の主な目的は、任意の安定器に運用でき、且つ高い互換性を備えたＬＥＤ駆動回路装置を提供することにある。
【０００７】
本考案の別の目的は、直接現有の電子安定器の照明装置上に取り付けて直接点灯させることができ、別途照明装置の配線や構造を変更する必要がない、ＬＥＤ駆動回路装置を提供することにある。
【０００８】
本考案のさらに別の目的は、ＬＥＤを発光源としているため、大幅に発光源の使用寿命を高めた、ＬＥＤ駆動回路装置を提供することにある。
【課題を解決するための手段】
【０００９】
本考案のＬＥＤ駆動回路装置は、前記ＬＥＤが照明装置内に設置され、且つ前記照明装置の両端に、安定器から出力される高周波交流電流（ＡＣ）を接受し、駆動回路モジュールと電気的に接続された端子ピンが２本ずつ設置され、そのうち、駆動回路モジュールは主に共振ネットワーク修正回路及び整流回路から構成され、そのうち、共振ネットワーク修正回路を運用して２本の端子ピンが接受した高周波交流（ＡＣ）電流に対し調整を行い、ＬＥＤ電流の運用範囲に合わせた後、整流回路で交流（ＡＣ）を直流（ＤＣ）に変換し、さらに別の２本の端子ピンから出力することができ、上述の回路を運用してＬＥＤ照明装置を一般の電子式安定器に運用可能にし、高い互換性という目的を達することができる。
【図面の簡単な説明】
【００１０】
【図１】本考案の最良の実施例の立体図である。
【図２】本考案の最良の実施例のブロック図である。
【図３】本考案を電子安定器に運用した使用状態を示す立体図である。
【考案を実施するための形態】
【００１１】
上述の目的及び効果を達するため、本考案の採用する技術手段と構造について、図面と本考案の最良の実施例を参照しながらその特徴と機能を以下で詳細に説明する。
【００１２】
図１と図２に本考案の最良の実施例の立体図とブロック図をそれぞれ示す。これらの図からはっきりと分かるように、本考案のＬＥＤ駆動回路装置は、前記ＬＥＤ２が照明装置１内に設置され、且つ前記照明装置１の両端に、安定器３から出力される高周波交流（ＡＣ）電流を接受し、駆動回路モジュール４と電気的に接続された端子ピン１０が２本ずつ設置され、そのうち、駆動回路モジュール４が主に共振ネットワーク修正回路４０と整流回路４２から構成され、そのうち、共振ネットワーク修正回路４０を運用して２本の端子ピン１０が接受した高周波交流（ＡＣ）電流に対して調整を行い、ＬＥＤの電流運用範囲に合わせた後、整流回路により交流（ＡＣ）を直流（ＤＣ）に変換し、別の２本の端子ピン１０から出力することができる。
【００１３】
上述の構造、組み立て設計に基づき、以下本考案の使用作動状況について説明する。同時に図３に本考案を電子安定器に運用した使用状態を示す立体図を示す。この図からはっきりと分かるように、蛍光灯１内に複数のＬＥＤ２が設置され、駆動回路モジュール４と前記ＬＥＤ２が電気的に接続され、電子式安定器３を装備した座体に駆動回路モジュール４を設置した蛍光灯１を取り付けるとき、共振ネットワーク修正回路４０を運用して２本の端子ピン１０が接受した高周波交流（ＡＣ）電流に対して調整を行い、ＬＥＤの電流運用範囲に合わせた後、整流回路により交流（ＡＣ）を直流（ＤＣ）に変換し、別の２本の端子ピン１０から出力することができる。
【００１４】
上述の回路を運用してＬＥＤ照明装置を一般の電子式安定器３に運用可能とし、高い互換性という目的を達することができ、このほか、複数のＬＥＤ２を設置した蛍光灯１を現有の電子安定器の照明装置上に直接取り付けて、直接点灯させることができ、別途照明装置の配線や構造を変更する必要がない。
【００１５】
以上の説明は本考案の最良の実施例に基づいており、本考案の請求の範囲を限定することはなく、本考案の明細書及び図面の内容を運用した簡易な修飾及び同等効果の構造変化はすべて本考案の請求の範囲内に含まれる。
【００１６】
上述をまとめると、本考案のＬＥＤ駆動回路装置は使用時に確実にその効果と目的を達することができるため、本考案は実用性に優れた考案であり、実用新案登録の出願要件を満たしているため、法に基づきここに出願を提出するものである。
【符号の説明】
【００１７】
１        照明装置
２        ＬＥＤ
１０      端子ピン
３        安定器
４        駆動回路モジュール
４０      共振ネットワーク修正回路
４２      整流回路
【図１】
0003161333.tif 000003
【図２】
0003161333.tif 000004
【図３】
0003161333.tif 000005